(57)【要約】【課題】建物の耐火性や防火性の要求に応じて、石膏ボードに炭ボードを保持させるに当たり、炭の生活環境改善効果を最大限に発揮させながら、粉状化した炭が飛散したりするのを可及的に抑制し、施工性についても改善した建物内装用板材を提供する。【解決手段】建物内装用の石膏ボード１の一面に、少なくともその四周を囲む枠状のスペーサ２を接着剤で貼着して取り付け、該スペーサにより囲まれる領域において、粉粒体状の炭を圧縮してスペーサの厚さよりも薄い板状に固化した炭ボード３を、石膏ボードの内側面に接着剤で貼着し、スペーサの表面に炭ボードを覆う多孔の外側板４を接着剤で貼着し、貼着した外側板と炭ボードの表面との間に通気用間隙６を形成させる。【選択図】図３
2014152488.tif 000002
【特許請求の範囲】
【請求項１】
建物内装用の石膏ボードの一面に、少なくともその四周を囲む枠状のスペーサを接着剤で貼着することにより取り付け、該スペーサにより囲まれる領域において、粉粒体状の炭を圧縮して上記スペーサの厚さよりも薄い板状に固化した炭ボードを、上記石膏ボードの内側面に接着剤で貼着し、上記スペーサの表面に上記炭ボードを覆う多孔の外側板を接着剤で貼着し、貼着した外側板と炭ボードの表面との間に通気用間隙を形成した、
ことを特徴とする建物内装用板材。
【請求項２】
上記スペーサを、石膏ボードの四周を囲む外周スペーサ部片と、該外周スペーサ部片における対向する一対の長辺側のスペーサ部片の中央部間を結ぶ中間スペーサ部片とにより構成し、これらにより構成される上記スペーサに接着剤で貼着した外側板におけるその貼着部分にも、上記外側板を多孔とするための孔を、該外側板の全面における孔配列と同じ孔配列で設け、該貼着部分によってこの建物内装用板材の取付対象へのねじによる固定域を形成させた、
ことを特徴とする請求項１に記載の建物内装用板材。
【請求項３】
上記外側板をベニヤ板により形成した、
ことを特徴とする請求項１又は２に記載の建物内装用板材。
【請求項４】
上記スペーサが、木材又は合成樹脂の押出材からなる板により形成されている、
ことを特徴とする請求項１〜３のいずれかに記載の建物内装用板材。
【請求項５】
上記炭が竹炭である、
ことを特徴とする請求項１〜４のいずれかに記載の建物内装用板材。
【発明の詳細な説明】
【技術分野】
【０００１】
本発明は、防火性においてすぐれた石膏ボードを基材とし、粉粒体状の炭を平板状に圧縮した炭ボードを内装して、炭が有する吸臭性、化学物質の吸着性、調湿性等を持たせるようにした建物内装用板材に関するものである。
【背景技術】
【０００２】
従来から、竹炭や活性炭等の炭の粉粒体を圧縮し、これを平板状化したものを壁材や天井材、パネル枠等に内装して使用する場合（例えば、特許文献１）、そこで生活する人が直接に炭に触れて衣服を汚したり、地震その他の振動で粉状化した炭が飛散したりすることがないように、炭の粉粒体にそれらの接合強度を高めるためのバインダーを混入したうえで板状化するのが通例であり、その場合には、該バインダーにより炭の粉粒体が有している膨大な数の気孔が少なからず閉鎖され、炭の生活環境改善効果を最大限に発揮させることができない。また、バインダーの使用量を少なくしながら、炭粉の離脱散乱ができるだけ少なくなるように板状化するには、それなりの技術や設備が必要になることから、コスト的に不利になる。
【０００３】
一方、住宅を含む建物では、近年、耐火性や防火性が要求され、その内装材に安価な石膏ボードが多用されているが、かかる耐火性や防火性の要求に応じて、上記炭の粉粒体を圧縮して板状化した炭ボードを該石膏ボードに保持させるのが有効であり、その場合、如何にして、炭の生活環境改善効果を最大限に発揮させながら、粉状化した炭が飛散したりすることがないように、炭ボードを石膏ボードに保持させるかが問題である。
また、上述のように炭ボードを石膏ボードに保持させて用いるからには、それを、建物の内装用等として一般的に使用される石膏ボードに代えて使用できるようにするのが望ましく、それにより、現場での炭ボードの装着作業を省略し、建物の建設工期を短縮することが可能になる。
【先行技術文献】
【特許文献】
【０００４】
【特許文献１】特開２０１１−４２９４２号公報
【発明の概要】
【発明が解決しようとする課題】
【０００５】
本発明の技術的課題は、建物の耐火性や防火性の要求に応じて、上記炭ボードを石膏ボードに保持させるのが有効であることから、該石膏ボードを基材とし、炭の生活環境改善効果を最大限に発揮させながら、しかも、粉状化した炭が飛散したりするのを可及的に抑制できるようにした建物内装用板材を提供することにある。
【０００６】
また、本発明の他の技術的課題は、上記石膏ボードに炭ボードを保持させて用いるからには、それを、建物の天井、壁等の内装用として一般的に使用される石膏ボードに代えて使用するのに適したものとし、更には、一般的に使用される石膏ボードよりも施工性においてよりすぐれたものとし、それにより、現場での炭ボードの装着作業を省略するだけでなく、石膏ボード自体の施工性をも改善し、建物の建設工期を短縮することを可能にした建物内装用板材を提供することにある。
【課題を解決するための手段】
【０００７】
上記課題を解決するため、本発明によれば、建物内装用の石膏ボードの一面に、少なくともその四周を囲む枠状のスペーサを接着剤で貼着することにより取り付け、該スペーサにより囲まれる領域において、粉粒体状の炭を圧縮して上記スペーサの厚さよりも薄い板状に固化した炭ボードを、上記石膏ボードの内側面に接着剤で貼着し、上記スペーサの表面に上記炭ボードを覆う多孔の外側板を接着剤で貼着し、貼着した外側板と炭ボードの表面との間に通気用間隙を形成したことを特徴とする建物内装用板材が提供される。
【０００８】
本発明に係る建物内装用板材の好ましい実施形態においては、上記スペーサを、石膏ボードの四周を囲む外周スペーサ部片と、該外周スペーサ部片における対向する一対の長辺側のスペーサ部片の中央部間を結ぶ中間スペーサ部片とにより構成し、これらにより構成される上記スペーサに接着剤で貼着した外側板におけるその貼着部分にも、上記外側板を多孔とするための孔を、該外側板の全面における孔配列と同じ孔配列で設け、該貼着部分によってこの建物内装用板材の取付対象へのねじによる固定域を形成させたものとして構成される。
【０００９】
上記構成を有する建物内装用板材は、その製造に際して、不燃性の石膏ボードに貼着したスペーサにより囲まれる領域内に、粉粒体状の炭を圧縮して板状に固化した炭ボードを接着剤で貼着するので、炭ボード自体は、バインダーを少なくして脱臭等の効果を高め、結果的に、炭粉の離脱散乱の可能性が多くなるようにしても、上記貼着によりその後の製造、運搬、施工時、または、施工後の地震その他の振動等で炭ボードが粉状化するのを抑制することができ、しかも、上記石膏ボードとの貼着により、建物の不燃化、難燃化を高めることができる。
【００１０】
また、上記石膏ボードに対する炭ボードの貼着により炭ボードと多孔の外側板との間に隙間を設けるので、該炭ボードと外側板との接触による粉状化を抑制できるだけでなく、炭に対する空気の接触がよくなって、炭の生活環境改善効果を最大限に発揮させることができ、しかも多孔の外側板における該孔内が上記隙間に連通しているので、すぐれた吸音効果を発揮させることができる。
【００１１】
更に、本発明に係る建物内装用板材の他の好ましい実施形態においては、上記外側板をベニヤ板により形成し、上記スペーサを、木材又は合成樹脂の押出材からなる板により形成し、また、上記炭を竹炭とするのが適切である。
このように構成すると、上記建物内装用板材は、木材や発泡合成樹脂板等からなるスペーサ及びベニヤ板からなる外側板を介して石膏ボードをねじ固定できるので、耐衝撃性において十分とは言えない石膏ボードを取付対象部材に当て、ワッシャー的機能を発揮する上記スペーサ及び外側板を介して、強度あるねじ螺挿により取付対象部材に高強度で固定することができ、しかも、石膏ボードに貼着した炭ボードは外側板との間に間隙を持たせているので、該炭ボードを効果的に破損から保護することができる。
【発明の効果】
【００１２】
以上に詳述した本発明によれば、炭の生活環境改善効果を最大限に発揮させるようにした建物内装用板材を得るに当たり、炭ボードを石膏ボードに貼着して保持させるようにしたので、建物の耐火性や防火性の要求をも満たすことができ、しかも、粉状化した炭が飛散したりするのを可及的に抑制することができる。また、上記石膏ボードに炭ボードを保持させるに当たり、該炭ボードを効果的に保護すると共に、石膏ボードを外側板でカバーした形態を持たせることにより、内装材として一般的に使用される石膏ボードよりも施工性を改善したので、一般的に使用される石膏ボードに代えて使用するのに適し、現場での炭ボードの装着作業を省略できるだけでなく、建物の建設工期を短縮することも可能になる。
【図面の簡単な説明】
【００１３】
【図１】本発明に係る建物内装用板材の一実施例を示す平面図である。
【図２】図１のＡ−Ａ位置での断面図である。
【図３】上記実施例の板材の一部を破断して示す斜視図である。
【図４】上記実施例の板材を分解して示す斜視図である。
【発明を実施するための形態】
【００１４】
図１〜図４は、本発明に係る建物内装用板材の実施例を示している。
図示した建物内装用板材は、主として建物内の壁や天井等の内装用に用いるもので、建物内装用の石膏ボード１の一面に、少なくともその四周を囲む枠状の一定厚さのスペーサ２を接着剤で貼着することにより取り付け、該スペーサ２により囲まれる領域において、粉粒体状の炭を圧縮して上記スペーサ２の厚さよりも薄い矩形板状に固化した炭ボード３を、上記石膏ボード１の内側面に接着剤で貼着し、上記スペーサ２の表面に上記炭ボード３を覆う多孔の外側板４を接着剤で貼着し、貼着した外側板４と炭ボード３の表面との間に通気用間隙６を形成している。
【００１５】
上記石膏ボード１としては、表裏面が紙等のシートで覆われた平板状で一般に市販されているものをそのまま使用することができる。
また、上記スペーサ２は、通常、木材や、合成樹脂又は発泡合成樹脂の押出材からなる板状部材により形成される。図示の実施例では、上記スペーサ２を、石膏ボード１の四周を囲む外周スペーサ部片２ａ，２ｂと、該外周スペーサ部片２ａ，２ｂにおける対向する一対の長辺側の外周スペーサ部片２ａの中央部間を結ぶ中間スペーサ部片２ｃとにより構成しているが、かかる構成に限るものではない。
【００１６】
しかしながら、内装用板材としての製品の縦横寸法の比を、図示のように１：２〔１．５尺×３尺（４５５ｍｍ×９０９ｍｍ）〕とするのが望ましく、この場合、一対の長辺側の外周スペーサ部片２ａの中央部間を結ぶ中間スペーサ部片２ｃを用いると、それらのスペーサ部片により囲まれる領域が細長くないものになるため、その領域において石膏ボード１に貼着する炭ボード３が破損しにくくなり、しかも、それらのスペーサ部片を挟んで接着剤で貼着された石膏ボード１と外側板４とは、補強材として機能するスペーサ部片が平均的に密に内装されていることから、高強度なものとなる。
【００１７】
上記外側板４は、ベニヤ板により形成するのが望ましく、このベニヤ板は、スペーサ２により囲まれる領域に収容した炭ボード３に外気を接触させるために規則的に孔４ａが配列された多孔としているが、上記スペーサ２に接着剤で貼着した外側板４の貼着部分にも、上記孔４ａが、該外側板４の全面における孔配列と同じ孔配列で設けられている。このスペーサ２に貼着した外側板４の貼着部分は、スペーサ２により補強され、しかも、そこに加えられた力が炭ボード３にまで作用することは殆どないことから、この建物内装用板材の取付対象へのねじによる固定域とするのに適したものである。特に、該貼着部分における孔４ａは、ねじ等で建物内装用板材を固定する場合にそのねじ頭の存在を目立たなくするのに有効なものである。
【００１８】
また、上記石膏ボード１上においてスペーサ２により囲まれる領域において石膏ボード１に貼着して収容する炭ボード３は、粉粒体状の竹炭を圧縮して上記スペーサ２の厚さよりも薄いほぼ一定厚さの矩形板状に固化した竹炭のボードとし、竹炭のすぐれた生活環境改善効果を有効利用するのが適切である。なお、スペーサ２により囲まれる領域に収容する炭ボード３は、該領域の形状に適合するように形成したものに限らず、複数の炭ボード片により該領域を満たすものであってもよい。
【００１９】
この炭ボード３は、前述したように、スペーサ２により囲まれる領域において、上記石膏ボード１の内側面に接着剤で貼着するが、その際、上記スペーサ２の表面に接着剤で貼着する多孔の外側板４との間に、該外側板４の前記孔４ａと連通する通気用間隙６を形成しているので、該炭ボード３と多孔の外側板４との接触による粉状化を抑制でき、また、該外側板４の孔４ａと上記通気用間隙６との連通を上記炭ボード３の貼着によって安定的なものとすることにより、炭ボード３に対する空気の接触がよくなって、炭の生活環境改善効果を最大限に発揮させることができるだけでなく、この内装用板材にすぐれた吸音効果を発揮させることができる。
【００２０】
特に、上記建物内装用板材においては、その製造に際して、石膏ボード１に貼着したスペーサ２により囲まれる領域内に炭ボード３を接着剤で貼着するので、炭ボード３自体はバインダーを少なくして脱臭等の効果を高めたものとし、結果的に、炭粉の離脱散乱の可能性が多くなるようにしても、その後の製造工程や、運搬、建築現場での施工時、またはその施工後の地震その他の振動等で、炭ボード３が粉状化するのを効果的に抑制することができ、しかも、上記石膏ボード１との貼着により、建物の不燃化、難燃化を高めることができる。
【００２１】
なお、上記建物内装用板材においては、上記石膏ボード１上にスペーサ２を貼着し、該スペーサ２上に外側板４を貼着しているが、図１及び図２から分かるように、石膏ボード１に対して外形を同じにしたスペーサ２を貼着するに際し、該スペーサ２を石膏ボード１に対して縦及び横方向に若干ずらせることにより、石膏ボード１の隣接２辺に段差５ａを付すると共に、スペーサ２における他の隣接２辺に段差５ｂを付し、隣接配置する内装用板材間においてそれらを重ねることにより、内装用板材間を密に連接する合決の構造を持たせているが、実接ぎその他の既知の連接構造を採用することができる。
また、上記内装用板材は、建物内の各部の内装材として使用できるが、外側板４の多孔が何らかの障害になる場合には、該外側板４に通気性のある化粧シートや壁紙等の化粧材を貼着して使用することもできる。
【符号の説明】
【００２２】
１    石膏ボード
２    スペーサ
２ａ，２ｂ    外周スペーサ部片
２ｃ    中間スペーサ部片
３    炭ボード
４    外側板
４ａ    孔
６    通気用間隙
【図１】
2014152488.tif 000003
【図２】
2014152488.tif 000004
【図３】
2014152488.tif 000005
【図４】
2014152488.tif 000006